(57)【要約】【課題】廃棄の際にシュレッダー、パンチ、塗りつぶし等の手間を掛けることなく、宛名などの個人情報の漏洩を防止できる個人情報保護用の封筒セットを提供する。【解決手段】網点４による印刷が施された窓Ｗを有する封筒２と、その封筒２に収容された用紙１とで構成され、用紙１は、封筒２の窓Ｗに対応する範囲に網点４による印刷が施されており、封筒２の窓Ｗの網点４と用紙１の網点４とが重なり合うことにより配送用の宛名５を表示するとともに、封筒２から用紙１を取り出すことで宛名５を読み取り難くした構成を個人情報保護用の封筒セットに採用する。【選択図】図３
2013133146.tif 000002
【特許請求の範囲】
【請求項１】
網点による印刷が施された透明部分を有する封筒と、その封筒に収容された用紙とで構成され、前記用紙は、封筒の透明部分に対応する範囲に網点による印刷が施されており、前記封筒の透明部分の網点と用紙の網点とが重なり合うことにより配送用の宛名を表示するとともに、封筒から用紙を取り出すことで宛名を読み取り難くすることを特徴とする個人情報保護用の封筒セット。
【請求項２】
上記用紙の網点は、前記宛名に相当する部分の網点の網点に対して、前記宛名に相当する部分以外の部分の網点の傾きまたはピッチが異なるように印刷されている請求項１に記載の個人情報保護用の封筒セット。
【請求項３】
上記用紙の網点は、前記宛名に相当する部分と、それ以外の部分とが同色で同明度となるように印刷されている請求項１または２に記載の個人情報保護用の封筒セット。
【請求項４】
上記用紙の網点および上記封筒の透明部分の網点がいずれも単色印刷であり、上記用紙の網点の色が、上記封筒の透明部分の網点の色とは異なる色である請求項１乃至３のいずれかに記載の個人情報保護用の封筒セット。
【請求項５】
上記封筒を合成樹脂フィルムで形成したことを特徴とする上記請求項１乃至４のいずれかに記載の個人情報保護用の封筒セット。
【請求項６】
梱包物に貼り付けられる配送伝票と、その配送伝票を覆う伝票カバーとで構成され、その伝票カバーは網点による印刷が施された透明部分を有し、前記配送伝票には、伝票カバーの透明部分に対応する範囲に網点による印刷が施されており、伝票カバーの透明部分の網点と配送伝票の網点とが重なり合うことによって配送用の宛名を表示するとともに、伝票カバーから配送伝票を取り出すことで宛名を読み取り難くしたことを特徴とする個人情報保護用の配送伝票セット。
【発明の詳細な説明】
【技術分野】
【０００１】
この発明は、配送物の宛名等の個人情報を保護する個人情報保護用の封筒セット及び配送伝票セットに関する。
【背景技術】
【０００２】
開封済みの封筒や宅配物の包装を廃棄する際に、宛名などの個人情報の漏洩を防止できるようにした封筒セットや包装体が知られている（例えば、特許文献１，２）。
【０００３】
特許文献１に記載の封筒セットは、窓付き封筒と、前記封筒に挿入されるシート材とからなり、前記シート材は、封筒の窓の位置に剥離可能な宛名表示シートを備えている。そして、開封済みの封筒セットを廃棄する際には、封筒からシート材を取り出し、その取り出したシート材から宛名表示シートを剥がし、剥がした表示シートをシュレッダーなどで裁断する。このように、特許文献１に記載の封筒セットを使用すると、封筒セット全体を裁断しなくても、剥がした表示シートだけを裁断することにより、個人情報の漏洩を防止することができる。
【０００４】
特許文献２に記載の包装体は、ミシン目で囲まれた個人情報の記載領域を有する。そして、開封済みの包装体を廃棄する際には、ミシン目に沿って個人情報の記載領域を切り取り、包装体に個人情報が残らないようにした上で廃棄する。そして、包装体から切り取った個人情報の記載領域は、パンチで孔をあけたり、黒く塗りつぶしたりした後に、廃棄する。
【先行技術文献】
【特許文献】
【０００５】
【特許文献１】特開２０１０−３９１８１号公報
【特許文献２】特開２００６−３４７６２０号公報
【発明の概要】
【発明が解決しようとする課題】
【０００６】
しかしながら、特許文献１，２に記載の封筒セット及び包装体は、シート材から剥がした宛名表示シートや、包装体から切り取った個人情報の記録領域を、従前と同じように、捨てる前にシュレッダーで裁断したり、パンチで孔をあけたり、黒く塗りつぶしたりする必要があり、その作業が煩雑であった。
【０００７】
そこで、この発明の課題は、廃棄の際にシュレッダー、パンチ、塗りつぶし等の手間を掛けることなく、宛名などの個人情報の漏洩を防止できる個人情報保護用の封筒セットおよび個人情報保護用の配送伝票セットを提供することである。
【課題を解決するための手段】
【０００８】
上記の課題を解決するため、この発明では、網点による印刷が施された透明部分を有する封筒と、その封筒に収容された用紙とで構成され、前記用紙には、封筒の透明部分に対応する範囲に網点による印刷が施されており、封筒の透明部分の網点と用紙の網点とが重なり合うことにより配送用の宛名を表示するとともに、封筒から用紙を取り出すことで宛名を読み取り難くするようにした個人情報保護用の封筒セットを提供する。
【０００９】
この個人情報保護用の封筒セットは、配送の際は、封筒の透明部分の網点と、封筒に収容された用紙の網点とが重なり合うことにより配送用の宛名を表示する。一方、封筒を廃棄する際は、封筒から用紙を取り出すことにより、封筒の透明部分の網点と用紙の網点との重なり合いが解除されて、宛名が読み取り難くなるので、シュレッダー、パンチ、塗りつぶし等の手間を掛けることなく、宛名などの個人情報の漏洩を防止することが可能である。
【００１０】
上記用紙の網点は、前記宛名に相当する部分の網点の網点に対して、前記宛名に相当する部分以外の部分の網点の傾きまたはピッチが異なるように印刷することができる。
【００１１】
このようにすると、封筒の透明部分の網点と、封筒に収容された用紙の網点とが重なり合ったときに、網点同士が干渉して生じるモアレによって宛名を表示することができる。
【００１２】
また、上記用紙の網点は、前記宛名に相当する部分と、それ以外の部分とが同色で同明度となるように印刷することができる。
【００１３】
このようにすると、封筒から用紙を取り出したときに、その用紙の前記宛名に相当する部分と、それ以外の部分とが同色かつ同明度に見えるので、宛名が読み取りにくい。
【００１４】
また、上記封筒の透明部分の網点および上記用紙の網点をいずれも単色印刷とし、上記用紙の網点の色を、上記封筒の透明部分の網点の色とは異なる色とすることができる。
【００１５】
このようにすると、宛名に相当する部分を、それ以外の部分との色との違いによって表示することができるので、封筒に用紙を収容したときに、宛名を鮮明に表示することが可能となる。
【００１６】
上記封筒は合成樹脂フィルムで形成することができる。
【００１７】
また、この発明では、梱包物に貼り付けられる配送伝票と、その配送伝票を覆う伝票カバーとで構成され、その伝票カバーは網点による印刷が施された透明部分を有し、前記配送伝票には、伝票カバーの透明部分に対応する範囲に網点による印刷が施されており、伝票カバーの透明部分の網点と配送伝票の網点とが重なり合うことによって配送用の宛名を表示するとともに、伝票カバーから配送伝票を取り出すことで宛名を読み取り難くしたことを特徴とする個人情報保護用の配送伝票セットを提供する。
【００１８】
この個人情報保護用の配送伝票セットは、上記個人情報保護用の封筒セットと同様、配送の際は、伝票カバーの透明部分の網点と、伝票カバーに収容された配送伝票の網点とが重なり合うことにより配送用の宛名を表示する。一方、廃棄の際は、伝票カバーから配送伝票を取り出すことにより、伝票カバーの透明部分の網点と配送伝票の網点との重なり合いが解除されて、宛名が読み取り難くなるので、シュレッダー、パンチ、塗りつぶし等の手間を掛けることなく、宛名などの個人情報の漏洩を防止することが可能である。
【発明の効果】
【００１９】
この発明の個人情報保護用の封筒セットは、廃棄の際に、封筒から用紙を取り出すだけで、封筒の透明部分の網点と用紙の網点との重なり合いが解除されて、宛名が読み取り難くなる。そのため、シュレッダー、パンチ、塗りつぶし等の手間を掛けることなく、宛名などの個人情報の漏洩を防止することができる。
【００２０】
同様に、この発明の個人情報保護用の配送伝票セットは、廃棄の際に、伝票カバーから配送伝票を取り出すだけで、伝票カバーの透明部分の網点と配送伝票の網点との重なり合いが解除されて、宛名が読み取り難くなる。そのため、シュレッダー、パンチ、塗りつぶし等の手間を掛けることなく、宛名などの個人情報の漏洩を防止することができる。
【図面の簡単な説明】
【００２１】
【図１】実施形態の斜視図
【図２】（ａ）実施形態の網点を説明する作用説明図、（ｂ）宛名の網点を説明する作用説明図
【図３】実施形態の作用説明図
【図４】（ａ）実施形態の網点を説明する作用説明図、（ｂ）実施例１の網点を説明する作用説明図
【図５】（ａ）、（ｂ）実施例３の作用説明図
【図６】（ａ）、（ｂ−１）、（ｂ−２）、（ｃ）実施例４の態様を示す作用説明図
【図７】（ａ）〜（ｄ）実施例４の他の態様を示す作用説明図
【図８】実施例４の他の態様を示す作用説明図
【発明を実施するための形態】
【００２２】
以下、この発明を実施するための形態を図面に基づいて説明する。図１に示すように、本願発明の個人情報保護用の封筒セットは、網点４による印刷を施した透明部分を有する封筒２と、その封筒２に収容された用紙１とで構成されている。
【００２３】
封筒２は、窓Ｗを有する窓付き紙封筒（長形）であり、窓Ｗには、透明なフィルム３が貼り付けられている。フィルム３としては、ポリプロピレン樹脂、ポリエチレン樹脂（ＰＥ）などの合成樹脂フィルムや、セロハン、グラシンなどの透明紙を使用することができる。
【００２４】
フィルム３には、網点４の小さな点（ドット）６による画像が全面に印刷されている。各ドット６は、図２のように、同色かつ同じ大きさであり、整列状態に配置されている。各ドット６は、このような単純な模様でも良いが、これ以外に、絵画や写真などの複雑な画像であっても良い。特に、規則正しい繰り返し模様などの方が、用紙１の網点４のドット６との間で差が出やすいので、後述のモアレＭを生じさせる際に好ましいと考えられる。また、網点４による印刷は、この形態のように、透明部分の全体に施してもよく、少なくとも用紙１に記載された宛名などの文字、数字、記号に対応する部分を含むのであれば、透明部分の一部に施してもよい。
【００２５】
用紙１は、ダイレクトメールの宛名を印刷するための長方形の紙で、その幅寸法は、用紙１を封筒２に挿入した状態で遊びがほとんど生じない程度の大きさとされている。また、用紙１には、封筒２に挿入した状態で窓Ｗのフィルム３と重なり合う部分に、網点４の小さな点（ドット）６で宛名５が印刷されている。用紙１のドット６は、図では窓Ｗのフィルム３と重なり合う部分のみに印刷しているが、用紙１の全面に印刷してもよい。
【００２６】
用紙１のドット（模様）６は、図２（ｂ）に示す宛名５に相当する部分の網点４のドット６のスクリーン角度を、図２（ａ）に示す宛名５に相当する部分以外の部分の網点４のドット６のスクリーン角度（図では０°）に対して傾けて印刷したものである。
【００２７】
すなわち、傾けた網点４で宛名５の文字、数字に相当する部分を印刷したものである。このように、宛名５に相当する部分のドット６の列を傾けると、封筒２の窓Ｗの網点４と用紙１の網点４とが重なり合ったときに、封筒２の窓Ｗの網点４の配列方向と、用紙１の網点４の配列方向との差によって、宛名５に相当する部分にモアレＭが発生する。
【００２８】
用紙１の網点４は、宛名５に相当する部分と、それ以外の部分とが同色で同明度となるように印刷されており、用紙１を封筒２から抜き出した状態では、宛名５に相当する部分と、それ以外の部分とが判別しにくくなるようになっている。
【００２９】
このような印刷としては、例えば、宛名５に相当する部分の網点４のドット６と、それ以外の部分の網点４のドット６とを、同色かつ同明度かつ同密度となるように印刷したものを採用することができる（但し、両者の網点４の配列方向は異なる）。また、それ以外にも、例えば、宛名５に相当する部分の網点４のドット６と、それ以外の部分の網点４のドット６とを同色とするとともに、その一方の網点４のドット６を他方の網点４のドット６よりも低い明度となるようにし、両者の網点４のドット６の密度を調節することによって、両者が全体として同明度に見えるように印刷したものを採用することもできる。
【００３０】
この実施形態では、ドット６を長方形としてドット６の傾きを理解し易いようにしているが、ドット６の形状は長方形に限定されるものではなく、これ以外の形状でも構わない。例えば、ドット６は、黒点「●」、三角「▲」、四角「■」、これ以外にも、長方形、楕円・・・など、模様を形成できる点状のものであれはどのようなものでも良く、用紙１と封筒２でドット６の大きさが違っても構わない。
【００３１】
この形態は、上記のように構成されており、例えば、封筒２の窓Ｗとその窓Ｗに対応する用紙１の部分に網点４による印刷をする（図柄はどのようなものでも構わない）。この印刷には、例えば、レーザープリンタなど、網点４が印刷可能なものであればどのようなものでも使用できる。
【００３２】
すなわち、用紙１に対する印刷は、宛名５以外の部分は、例えば、封筒２の窓Ｗと同じ図２（ａ）のようなドット６の傾きゼロの網点４で模様を印刷する。また、宛名５の部分は、図２（ｂ）のように、図柄の宛名５の文字に相当する部分の網点４のドット６を傾けるように印刷データを変換して印刷する。
【００３３】
封筒２の窓Ｗに対する印刷は、網点４で同じ傾きのドット６を一様に（この印刷は宛名が表示される部分だけでも良い）印刷する。ここでは、ドット６の傾きゼロの水平とする。
【００３４】
このように網点４が印刷された封筒２に用紙１を挿入する。その際、用紙１は、用紙１の印刷された宛名５が封筒２の窓Ｗに向き合うようにして挿入する。すると、封筒２の窓Ｗの網点４と用紙１の網点４が重なり、重ね合わされた網点４の傾きの異なるドット６の部分に、例えば、図３に模式的に示すように、モアレ（干渉縞）Ｍが発生する。このモアレＭを発生した異なる傾きのドット６の部分は、宛名５の文字に相当したものなので、モアレＭにより宛名が表示されることになる。
そのため、封筒２を封印して送付すると、モアレＭにより表示された宛名へ届けられる。
一方、封筒２を受け取った側では、受け取った封筒２を開封して用紙１を取り出すと、取り出した用紙１には網点４による図柄が印刷されているだけである。そのため、宛名の読み取りが困難であり、そのまま廃棄しても個人情報が漏洩しない。
【００３５】
用紙１の宛名５の部分と宛名５以外の部分のドット６の大きさ・ピッチなどを調整することにより、宛名５の部分の色の濃さと宛名５以外の部分の色の濃さとが同一になるようにし、両者の区別がつかないようにすれば、用紙１からの宛名の読み取りが困難となる。
【００３６】
このように、封筒２から用紙１を取り出せば宛名が読み取り難いので、特段、シュレッダーで裁断したり、パンチで孔をあけたり、塗りつぶしたりしなくても、そのまま捨てても個人情報が漏洩することはなく、安全である。
【００３７】
このとき、図柄を絵画などで構成して、単純でないものにすれば、図柄に宛名が紛れ込んで、秘匿効果が向上すると考えられる。
【００３８】
また、この形態では、用紙１の宛名５の部分の網点４の傾きを変えたものについて述べたが、傾きは宛名５の部分と宛名以外の部分及び封筒２の窓Ｗの網点４との間の相対的なものなので、例えば、宛名５の部分を水平にして、残り（宛名以外と封筒２の窓Ｗ）を傾斜させるようにしても良い。
【００３９】
また、網点４の傾斜については、適宜、実験などによって最もモアレＭが発生する角度に決められるものである。また、この形態では、用紙１に宛名を直接印刷したものについて述べたが、これに限定されるものではない。これ以外にも宛名を印刷したシールを用紙１に貼り付けたものについても適用可能である。
【実施例１】
【００４０】
実施例１は、網点４のドット６の傾きに替えて、図４に示すように、ドット６のピッチＰ、Ｐ´を変えることにより、モアレＭを発生させるようにしたものについて述べる。
すなわち、用紙１は、全体あるいは少なくても封筒２の窓Ｗに対向する部分に、網点４の小さな点（ドット）６により、模様が印刷されている。
【００４１】
また、その用紙１のドット（模様）６のピッチは、宛名５に相当する部分を除いて、図４（ａ）に示すように、封筒２の窓Ｗと同じピッチ（間隔）Ｐにしてある。
そして、宛名５の文字、数字、記号に相当する部分は、例えば、図４（ｂ）のように、宛名文字を構成するドット６のピッチＰ´を狭めて印刷してある。このとき、ドット６のピッチＰ´は、上下方向あるいは左右方向のいずれか一方を変えるだけでも良いが、ここでは、上下左右の両方向の間隔を変えるようにしている。このように上下左右の両方向の間隔を変えると、後述のモアレＭの発生が顕著になると考えられる。
一方、封筒２の窓Ｗに対する印刷は、網点４で同じピッチＰ、Ｐ´のドット６を一様に印刷する（模様でも構わない）。
なお、ここでは、ドット６は、黒点「●」としたが、これに限定されるものではない。実施形態でも述べたように、これ以外にも、三角「▲」、四角「■」、長方形、楕円・・・など、模様を形成できる点状のものであればどのようなものでも良い。また、封筒２と用紙１のドット６の大きさが違っても構わない。
【００４２】
この形態は、上記のように構成されており、例えば、封筒２の窓Ｗとその窓Ｗに対応する用紙１の部分に網点４による印刷をする（図柄はどのようなものでも構わない）。
この印刷には、例えば、解像度の高いプリンタを使用するのがピッチＰ´を細かくできるので好ましいと考えられる。
すなわち、用紙１に対する印刷は、宛名５の網点４のドット６のピッチＰ´を、それ以外のピッチＰと異なるように印刷する。例えば、宛名５以外の部分は封筒２の窓Ｗと同じ図４（ａ）のピッチＰの網点４で模様を印刷する。
また、宛名５の部分は、図４（ｂ）のように、図柄の網点４のピッチＰを「狭め（広げる方法もある）」て、その狭めたピッチＰ´で宛名５の文字に相当する部分の網点４を印刷するように、印刷データを変換して印刷する。
また、封筒２の窓Ｗに対する印刷は、ここでは、網点４で同じピッチＰのドット６を一様に印刷する。
【００４３】
このように網点４が印刷された封筒２に、宛名５が印刷された用紙１を、用紙１の印刷された宛名５が封筒２の窓Ｗに向き合うように挿入する。すると、封筒２の窓Ｗの網点４と用紙１の網点４が重なり、重ね合わされた網点４の異なるピッチＰ´の部分に、例えば、図３に模式的に示すように、モアレ（干渉縞）Ｍが発生する。このモアレＭを発生する異なるピッチＰ´の部分は、宛名５の文字に相当したものなので、モアレＭにより宛名が表示されることになる。
そのため、封筒２を封印して送付すると、モアレＭにより表示された宛名へ届けられる。また、封筒２を受け取った側で、封筒２を開封して用紙１を取り出す。
すると、取り出した用紙１には、網点４による図柄が印刷されているだけなので、宛名の読み取りが困難である。したがって、そのまま廃棄することができると考えられる。
【００４４】
ここで、先述したように、用紙１の宛名５の部分と宛名５以外の部分の個々のドット６の大きさや色の濃さなどを調整することにより、宛名５の部分の色の濃さと宛名５以外の部分の色の濃さとが同一になるようにして両者の区別がつかないようにすれば、用紙１からの宛名の読み取りをより一層困難にできる。
【００４５】
このように、封筒２から用紙１を取り出せは宛名が読み取り難くなるので、シュレッダーで細かく裁断したり、パンチで孔を開けたり、塗りつぶしたりしなくても個人情報が漏洩することはなく、安全であると考えられる。
なお、実施形態ではドット６の傾きを変えるものについて述べた。また、実施例１では、ドット６のピッチＰ、Ｐ´を変えるものについて述べた。よって、網点４のドット６の傾とピッチの両方を組み合わせて変えるようにしてもモアレＭを発生させられることは明らかである。
【実施例２】
【００４６】
この実施例２では、用紙１と封筒２の網点４を異なる色で構成したものについて述べる。すなわち、用紙１の網点４および封筒２の窓Ｗの網点４がいずれも単色印刷であるが、用紙１の網点４の色として、封筒２の窓Ｗの網点４の色とは異なる色を使用している。このようにすると、宛名５に相当する部分を、それ以外の部分との色との違いによって表示することができるので、封筒２に用紙１を収容したときに、宛名５を鮮明に表示することが可能となる。
【００４７】
また、このとき、窓Ｗは、２つの色が混ざり合って中間の色になる。このとき、モアレＭを発生する宛名部分は、それ以外の部分に対してドット６の傾きあるいはピッチＰ´が異なるため色の面積比が変わる。所謂、中間混色となるのである。そのため、その部分の色の明るさが面積比に応じて変わる。したがって、モアレＭ部分の明るさが変わり、峻別し易くなるので、宛名を読みやすくできるという効果がある。
他の構成及び作用効果は、実施形態及び実施例１と同じなので、説明は省略する。
【実施例３】
【００４８】
実施例３では、用紙１と封筒２の網点４のドット６について述べる。
すなわち、用紙１と封筒２の網点のドット６は、同じ形状、同じ大きさである必要はない。
例えば、図５（ａ）、（ｂ）のように、ドット６の形状や大きさは異なっていても良い。これは、モアレＭを発生させる部分の文字、数字、記号部分のピッチＰ´または傾きが異なっていれば良いからである。
【実施例４】
【００４９】
実施例４では、図６〜図８に封筒２と用紙１の他の態様を示す。
まず、図６（ａ）、（ｂ−１）、（ｂ−２）、（ｃ）に、封筒２を合成樹脂フィルムで形成した例を示す。この封筒２は、ポリプロピレン樹脂やポリエチレン樹脂などの合成樹脂からなるもの（いわゆるフィルム封筒）である。この封筒２は、網点４の印刷において、図６（ａ）〜（ｃ）に模式的に示すように、次の３つの代表的な態様が考えられる。
なお、郵送に使用するものは、宛名の記載位置などについては「内国郵便約款」を順守するものである（その範囲を図６（ａ）〜（ｃ）の枠で示す）。
図６（ａ）は、封筒２の全体（表裏）に網点４により画像や模様を印刷するようにしたものである。こうすることで、内容物を透視できないようにできる。
このとき、用紙１は、図示はしていないが、宛名５の文字、数字、記号の部分だけ網点４のドット６の傾きやピッチＰ´の一方あるいは両方を組み合わせて変えることで宛先を表示させる。その際、用紙１は、画像や模様を宛名５の部分だけ印刷しても良いが、全体に印刷しても良い。全体に印刷する場合は、宛名以外に様々な情報を網点４のピッチＰ´や傾きあるいはその両方を組み合わせて変えるようにして印刷すれば、表示させることができる。
図６（ｂ−１）、（ｂ−２）は、封筒２のおもて（表）面（同図（ａ））にだけ内容物を透視できないように画像や模様を印刷したものである。
このとき、封筒２の裏面は、図６（ｂ−２）のように透明のままである。そのため、表面に宛名が向き合うように用紙１を挿入する。
この場合も用紙１は、宛名５の部分（文字、数字、記号）だけ網点４のドット６の傾きやピッチＰ´あるいはその両方を組み合わせて変えることで宛先を表示させることができる。
図６（ｃ）は、封筒２の表面の宛名５を表示する部分にだけ、網点４により画像や模様を印刷するようにしたものである。
このとき、用紙１は、宛名５の部分（文字、数字、記号）だけ網点４のドット６の傾きやピッチＰ´あるいはその両方を組み合わせて変えることで宛先を表示させることができる。
このように構成される用紙１と封筒２は、用紙１を封筒２へ挿入すると、封筒２に印刷した網点４と、中の用紙１に印刷した網点４のドット６の傾きやピッチＰ´あるいはその両方の差により生じるモアレＭにより宛名などが表示される。
また、封筒２を開封して用紙１を取り出すと、取り出した用紙１は、網点４が印刷されているだけなので、そのまま、廃棄しても安全である。
なお、このとき、実施例３で述べたように、網点４のドッド６の形状や大きさは同じでなくても良い。
また、他の構成及び作用効果については、実施形態、実施例１〜３と同じなので、説明は省略する。
【００５０】
図７に他の態様として、ダイレクトメールなどに使用される背貼り（合掌貼り）タイプのフィルム封筒（所謂、ラッピング封筒）１０を示す。
このタイプのフィルム封筒１０は、図７（ａ）のように、合成樹脂フィルムで形成された封筒２と、この封筒２に挿入される用紙１とで構成されており、主に、カタログや冊子の送付に用いられる。
封筒２は、例えば、ロールから繰り出される合成樹脂フィルムを所定の長さに切り出して使用する。用紙１は、宛名５をだけを記載したものの他、図７（ａ）のように、例えば、カタログの表紙に宛名５を印刷した宛名領域１１を設けたり、宛名５を印刷した宛名シールを貼り付けたりしたものなどでも良い。
そして、切り出したフィルムに用紙１を載置し、フィルムの両端を内側に曲げて、合わせたフィルムの端を、図７（ｂ）のように、熱溶着する。その際、図７（ｃ）（ｄ）のように、端１２の部分を重ね合わせて熱溶着するというものである。
このフィルム封筒１０もフィルムの宛名５を表示する部分に網点４による印刷を施す。また、フィルム封筒１０に封入される用紙１の宛名部分には、図２（ｂ）、図４（ｂ）で示すような傾き、ピッチＰ´、色の異なる、あるいはこれらを組み合わせた網点４により宛名を印刷しておく。
このように構成されるフィルム封筒１０は、フィルム封筒１０と中の用紙１に印刷した網点４のドット６の傾き、ピッチＰ´あるいは色、それらの差により生じるモアレＭにより宛名などが表示される。
また、フィルム封筒１０は、開封して用紙１を取り出せば、取り出した用紙１は網点４が印刷されただけである。そのため、その網点４から宛名を読み取ることは難しいので、そのまま、廃棄しても安全である。
他の構成及び作用効果は、実施形態及び実施例１〜３と同じであるので、説明は省略する。
【００５１】
図８に他の態様として、本願発明を配送貨物の配送伝票８に適用したものについて述べる。
この態様の配送伝票８は、伝票カバー７で覆われた状態で梱包物に貼り付けるタイプのものである（所謂、宅配パック）。
すなわち、伝票カバー７は、フィルム封筒状のもので、透明な表（おもて）面と粘着面を形成した裏面とからなり、粘着面は剥離紙で保護されている。この透明な表面に網点４による画像や模様を印刷する。このとき、印刷範囲は、表面全体でも良いし、宛名を表示する部分だけでも良い。
一方、配送伝票８は、宛名を除く部分は、伝票カバー７と同じピッチＰや同じ傾きの網点４で印刷する。また、宛名部分（摘要などを含む）５は、図２（ｂ）で示したように、ドット６の傾きを変えたり、図４（ｂ）で示したように、文字あるいは数字に相当する部分のドット６のピッチＰ´を（狭くあるいは広く）変えたり、ピッチＰ´と傾きの両方を変えたり、色を変えたりして印刷を行う。このとき、実施例３で述べたように、網点４のドット６の形状や大きさは同じでなくても良い。
このように構成した伝票カバー７と配送伝票８は、伝票カバー７の裏面の剥離紙を剥がして配送貨物の梱包に貼り付ける。貼り付けた伝票カバー７に配送伝票８を入れて封をする。すると、配送伝票８の宛名がモアレＭにより表示される。
次に、梱包を廃棄する際は、伝票カバー７から配送伝票８を取り出す。すると、取り出した配送伝票８は、網点４が印刷されただけなので、その網点４から宛名を読み取ることは難しい。したがって、そのまま廃棄できると考えられる。
ここでは伝票カバー７を袋状に形成したものを例に挙げて説明したが、伝票カバー７として、配送伝票８を覆う枚葉状の透明フィルムを採用することも可能である。
他の構成及び作用効果については、実施形態、実施例１〜３と同じなので、説明は省略する。
【符号の説明】
【００５２】
１  用紙
２  封筒
３  透明フィルム
４  網点
５  宛名
６  ドット
７  伝票カバー
８  配送伝票
１０  フィルム封筒
Ｍ  モアレ
Ｐ  ピッチ
Ｗ  窓
【図１】
2013133146.tif 000003
【図２】
2013133146.tif 000004
【図３】
2013133146.tif 000005
【図４】
2013133146.tif 000006
【図５】
2013133146.tif 000007
【図６】
2013133146.tif 000008
【図７】
2013133146.tif 000009
【図８】
2013133146.tif 000010
【手続補正書】
【提出日】平成24年4月3日(2012.4.3)
【手続補正１】
【補正対象書類名】特許請求の範囲
【補正対象項目名】全文
【補正方法】変更
【補正の内容】
【特許請求の範囲】
【請求項１】
網点による印刷が施された透明部分を有する封筒と、その封筒に収容された用紙とで構成され、前記用紙は、封筒の透明部分に対応する範囲に網点による印刷が施されており、その用紙の網点は、宛名の文字に相当する部分の網点の配列方向を、宛名の文字に相当しない部分の網点の配列方向に対して傾けるとともに、宛名の文字に相当する部分と、宛名の文字に相当しない部分とを同色で同明度となるように印刷したものであり、前記封筒の透明部分の網点と用紙の網点とが重なり合うことにより網点同士が干渉して生じるモアレによって配送用の宛名を表示するとともに、封筒から用紙を取り出すことで宛名を読み取り難くすることを特徴とする個人情報保護用の封筒セット。
【請求項２】
上記用紙の網点および上記封筒の透明部分の網点がいずれも単色印刷であり、上記用紙の網点の色が、上記封筒の透明部分の網点の色とは異なる色である請求項１に記載の個人情報保護用の封筒セット。
【請求項３】
上記封筒を合成樹脂フィルムで形成したことを特徴とする上記請求項１または２に記載の個人情報保護用の封筒セット。
【請求項４】
梱包物に貼り付けられる配送伝票と、その配送伝票を覆う伝票カバーとで構成され、その伝票カバーは網点による印刷が施された透明部分を有し、前記配送伝票には、伝票カバーの透明部分に対応する範囲に網点による印刷が施されており、その配送伝票の網点は、宛名の文字に相当する部分の網点の配列方向を、宛名の文字に相当しない部分の網点の配列方向に対して傾けるとともに、宛名の文字に相当する部分と、宛名の文字に相当しない部分とを同色で同明度となるように印刷したものであり、伝票カバーの透明部分の網点と配送伝票の網点とが重なり合うことにより網点同士が干渉して生じるモアレによって配送用の宛名を表示するとともに、伝票カバーから配送伝票を取り出すことで宛名を読み取り難くしたことを特徴とする個人情報保護用の配送伝票セット。